(57)【要約】【課題】経路案内中に位置情報の受信有無を判断することにより、周囲の状況を判断して自動的に切替えることができるポータブルナビゲーション装置を提供することを目的とする。【解決手段】現在位置を取得する位置情報取得部１と、位置情報取得部１が前記現在位置を取得したか否かを判断する判断部２と、経路案内を行う経路案内部３と、音や音声を出力する音出力部４と、音出力部４の出力モードを切替える動作モード切替部５と、地図データを記録した記憶部６と、判断部２で現在位置を取得できていないと判断したとき、位置情報取得部１で直前に取得できた現在位置と地図データを用いて現在位置を特定して動作モード切替部５を制御する制御部７とを備えて構成されている。【選択図】図１
2013205158.tif 000002
【特許請求の範囲】
【請求項１】
音声や表示を用いて経路案内を行うポータブルナビゲーション装置であって、
現在位置を取得する位置情報取得手段と、
前記位置情報取得手段が前記現在位置の取得の有無を判断する判断手段と、
音や音声を出力する音出力手段と、
経路案内中に前記音出力手段の出力モードを切替える動作モード切替手段と、
前記判断手段の判断に基づいて前記動作モード切替手段を制御する制御手段を備えることを特徴とするポータブルナビゲーション装置。
【請求項２】
前記ポータブルナビゲーション装置は、地図データを記録した記憶部を備え、
前記制御手段は、前記判断手段で現在位置を取得できていないと判断したとき、前記位置情報取得手段で直前に取得できた位置情報と前記地図データを用いて現在位置を特定し、前記動作モード切替手段を制御することを特徴とする請求項１に記載のポータブルナビゲーション装置。
【発明の詳細な説明】
【技術分野】
【０００１】
本発明は、ロケーション状況に応じて、自動的にモード切替を行うポータブルナビゲーション装置に関するものである。
【背景技術】
【０００２】
着信音や案内音などを発する携帯端末機器において、バスや電車の乗り物内、美術館や映画館の建物内などの音が出ては迷惑な場所では、周囲への影響を考慮してミュート機能（マナーモード等）に切り替えることが一般的である。そのため、ユーザは上記条件の度に、手動にて携帯端末機器を操作する必要があり、ミュート設定を忘れた場合には音が発生し、周囲の人に迷惑をかけることも少なくない。
【０００３】
上述した技術の対策として、携帯端末機器の利用が自粛される特定場所（映画館、病院、駅のホームｅｔｃ）の入り口にセンサを配置し、センサを通過すると送受信機から動作モード指定信号が送信され、これを受信した場合にモード切替を実施する技術が開示されている（例えば特許文献１参照）。
【先行技術文献】
【特許文献】
【０００４】
【特許文献１】特開２０００−２７８７５８号公報
【発明の概要】
【発明が解決しようとする課題】
【０００５】
しかしながら、従来の特許文献１で開示されている技術によれば、規制をかけたい区間の全ての出入り口に新たにセンサを設置というインフラの整備が必要となり、膨大な費用がかかるという問題があった。
【０００６】
本発明は、従来の問題を解決するためになされたもので、経路案内中に位置情報の受信有無を判断することにより、周囲の状況を判断して自動的に切替えることができるポータブルナビゲーション装置を提供することを目的とする。
【課題を解決するための手段】
【０００７】
上記目的を達成するために、本発明のポータブルナビゲーション装置は、音声や表示を用いて経路案内を行うポータブルナビゲーション装置であって、現在位置を取得する位置情報取得手段と、前記位置情報取得手段が前記現在位置の取得の有無を判断する判断手段と、音や音声を出力する音出力手段と、前記経路案内中に前記音出力手段の出力モードを切替える動作モード切替手段と、前記判断手段の判断に基づいて前記動作モード切替手段を制御する制御手段を備えることを特徴とする。
【０００８】
本発明によれば、経路案内中に位置情報取得手段で現在位置を取得することができないと判断されると、音出力手段の動作モードを自動的に切替えることはできるので、例えば、利用者が自粛される特定場所に入ると自動的に切替えることができる。
【０００９】
本発明のポータブルナビゲーション装置は、地図データを記録した記憶部を備え、前記制御手段は、前記判断手段で現在位置を取得できていないと判断したとき、前記位置情報取得手段で直前に取得できた位置情報と前記地図データを用いて現在位置を特定し、前記動作モード切替手段を制御することを特徴とする。
【００１０】
本発明のポータブルナビゲーション装置は、前記判断手段で現在位置を取得できていないと判断したとき、位置情報取得手段で直前に取得できた位置情報と地図データを用いて現在位置を特定することができるので、例えば、現在位置が利用者が予め設定している自動切替不要場所と判断した場合に、前記制御部の判断により、自動切替を回避することができる。この構成により、自宅やトンネル内など動作モード切替機能を実施したくない場所においては、設定を回避することが可能となる。
【発明の効果】
【００１１】
以上のように本発明によれば、経路案内中に位置情報の受信有無を判断することにより、自動的に動作モードを切替えることができるので、利用者がポータブルナビゲーション装置を所持して自粛されている特定場所に入ったとしても自動的に動作モードが切り替わり使用することができる。
【図面の簡単な説明】
【００１２】
【図１】本発明の実施の形態におけるポータブルナビゲーション装置を示すブロック図
【図２】本発明の実施の形態におけるポータブルナビゲーション装置における自動モード切替機能の動作説明のためのフロー図
【発明を実施するための形態】
【００１３】
以下、本発明のポータブルナビゲーション装置の動作についてについて、図面を用いて詳細に説明する。
【００１４】
（実施の形態）
以下、本発明の実施の形態におけるポータブルナビゲーション装置の動作について図面を参照しながら説明する。図１は本発明の実施の形態におけるポータブルナビゲーション装置の構成を示すブロック図である。図１において、ポータブルナビゲーション装置１０は、現在位置を取得する位置情報取得部１と、位置情報取得部１が前記現在位置を取得したか否かを判断する判断部２と、経路案内を行う経路案内部３と、音や音声を出力する音出力部４と、音出力部４の出力モードを切替える動作モード切替部５と、地図データを記録した記憶部６と、判断部２で現在位置を取得できていないと判断したとき、位置情報取得部１で直前に取得できた現在位置と地図データを用いて現在位置を特定して動作モード切替部５を制御する制御部７とを備えて構成されている。
【００１５】
ここで、位置情報取得部１は、ＧＰＳ受信機で構成されており、全地球測位システム（ＧＰＳ；Ｇｌｏｂａｌ  Ｐｏｓｉｔｉｏｎｉｎｇ  Ｓｉｓｔｅｍ）２０から電波を受信し、地球座標から現在位置を割り出して、後出の判断部２へ伝達するように構成されている。
【００１６】
判断部２は、前述の位置情報取得部１で現在位置を受信できたか否かを判別し、その判別結果を後出の記憶部６及び、制御部７へ伝達するように構成されている。
【００１７】
経路案内部３は、任意に設定された目的地までの経路を音声や表示などを用いて案内することができるように構成されている。
【００１８】
音出力部４は、ポータブルナビゲーション装置の音声出力スピーカーであり、音声案内などの音声を出力することができるように構成されている。
【００１９】
動作モード切替部５は、後出の制御部７の判別結果から、音声を出力して良いか否かの情報を受け取り、前述の音出力部４の音出力制御を行うように構成されている。
【００２０】
記憶部６は、ポータブルナビゲーション装置のメモリ内部に保持された地図情報を示しており、判断部２から伝達される情報に応じて、地図情報を制御部７へ伝達するように構成されている。
【００２１】
制御部７は、判断部２において現在位置を取得できないと判断されたときに、位置情報取得部１から直前に取得できた位置情報と、記憶部６から伝達された地図データをもとに現在位置を特定して動作モード切替部５を制御するか否かを判別することができるように構成されている。
【００２２】
次にこのように構成された本発明のポータブルナビゲーション装置についてフローチャートを用いて説明する。図２は本発明の実施の形態１におけるポータブルナビゲーション装置の動作説明のためのフロー図である。なお、実施形態において任意の目的地まで経路案内を行っている状態として記載する。
【００２３】
まず、本発明のポータブルナビゲーション装置の位置情報取得部１は、予め設定されている所定のタイミングで全地球測位システム（ＧＰＳ）２０から緯度・経度からなる現在位置情報を受信し（Ｓ１）、受信情報を判断部２へ出力する。次に、判断部２はＧＰＳが受信有りか無しかを判断する（Ｓ２）。Ｓ２において判断部２が受信無しと判断した場合は（Ｓ２、ＹＥＳ）、位置情報取得部１が受信できなくなる前の位置情報と記憶部６に記憶された地図データを用いて場所を特定する（Ｓ３）。Ｓ３で特定された場所からナビ音声制御が必要な場所なのかを制御部７が判断する（Ｓ４）。Ｓ４においてナビ音声制御が必要な場所と判断した場合には（Ｓ４、ＹＥＳ）、制御部７が動作モード切替部５に対して音声制御を行うように制御を行いナビ音声案内の出力を制御して音声案内を中止する（Ｓ５）。
【００２４】
一方、Ｓ２において、ＧＰＳから位置情報を受信していると判断した場合は（Ｓ２、ＮＯ）、経路案内中の音声案内を継続する（Ｓ６）。
一方、Ｓ４において制御部７によって特定された現在位置の場所が音声制御が必要な場所でないと判断した場合は（Ｓ４、ＮＯ）、経路案内中の音声案内を継続する（Ｓ６）。
【００２５】
以上のように本発明のポータブルナビゲーション装置によれば、位置情報取得機能の受信有無を判断することにより、経路案内中であっても自動的に音声案内の動作モードを切替えることができるので、利用者がポータブルナビゲーション装置を所持して自粛されている特定場所に入ったとしても自動的に動作モードが切り替わり使用することが可能となる。
【産業上の利用可能性】
【００２６】
本発明は、目的地までの経路案内において現在状況を把握し、自動的に音声案内の出力を可否を判断することができるポータブルナビゲーション装置として有用である。
【符号の説明】
【００２７】
１  位置情報取得部
２  判断部
３  経路案内部
４  音出力部
５  動作モード切替部
６  記憶部
７  制御部
１０  ポータブルナビゲーション装置
２０  全地球測位システム（ＧＰＳ）
【図１】
2013205158.tif 000003
【図２】
2013205158.tif 000004